(57)【要約】 【課題】  外径が異なる複数のレンズに対応することができる画像処理用カメラ装置を提供する。【解決手段】  カメラ本体２のレンズ装着部２１に、外径１７ｍｍレンズより外径が小さい外径１２ｍｍレンズを装着する場合、外径１２ｍｍレンズ用アダプタ３を介して装着し、外径１７ｍｍレンズより外径が大きいＣマウントレンズを装着する場合、Ｃマウントレンズ用アダプタ４を介して装着する。レンズ装着部２１、外径１２ｍｍレンズ用アダプタ３およびＣマウントレンズ用アダプタ４はそれぞれ円筒形状を有し、おねじおよびめねじをそれぞれ形成することで外径が異なる複数のレンズを、カメラ本体２に螺着可能としている。【選択図】      図１
2006276420.tif 000002
【特許請求の範囲】
【請求項１】
装着されたレンズを通って入射する入射光を電気信号に変換して画像データを出力するカメラ機能部と、レンズ部材を装着するためのレンズ装着部とを含むカメラ本体と、
前記レンズ装着部に直接装着することが可能な直装レンズ部材より外径が小さい小径レンズ部材を装着するための小径用アダプタとを備え、
前記レンズ装着部は円筒形状を有し、外周部には、前記直装レンズ部材に形成されためねじと螺合可能なおねじが形成され、内周部には、前記小径用アダプタを螺着させるためのめねじが形成され、
前記小径用アダプタは円筒形状を有し、外周部には、前記レンズ装着部の内周部に形成されためねじと螺合可能なおねじが形成され、内周部には、前記小径レンズ部材に形成されたおねじと螺合可能なめねじが形成されることを特徴とする画像処理用カメラ装置。
【請求項２】
装着されたレンズを通って入射する入射光を電気信号に変換して画像データを出力するカメラ機能部と、レンズ部材を装着するためのレンズ装着部とを含むカメラ本体と、
前記レンズ装着部に直接装着することが可能な直装レンズ部材より外径が大きい大径レンズ部材を装着するための大径用アダプタとを備え、
前記レンズ装着部は円筒形状を有し、外周部には、前記直装レンズ部材に形成されためねじと螺合可能なおねじが形成され、
前記大径用アダプタは一方の開放端部における内径と、他方の開放端部における内径とが異なる円筒形状を有し、内径が小さい側の内周部には、前記レンズ装着部の外周部に形成されたおねじと螺合可能なめねじが形成され、内径が大きい側の内周部には、前記大径レンズ部材に形成されたおねじと螺合可能なめねじが形成されることを特徴とする画像処理用カメラ装置。
【請求項３】
装着されたレンズを通って入射する入射光を電気信号に変換して画像データを出力するカメラ機能部と、レンズ部材を装着するためのレンズ装着部とを含むカメラ本体と、
前記レンズ装着部に直接装着することが可能な直装レンズ部材より外径が小さい小径レンズ部材を装着するための小径用アダプタと、
前記直装レンズ部材より外径が大きい大径レンズ部材を装着するための大径用アダプタとを備え、
前記レンズ装着部は円筒形状を有し、外周部には、前記直装レンズ部材に形成されためねじと螺合可能なおねじが形成され、内周部には、前記小径用アダプタを螺着させるためのめねじが形成され、
前記小径用アダプタは円筒形状を有し、外周部には、前記レンズ装着部の内周部に形成されためねじと螺合可能なおねじが形成され、内周部には、前記小径レンズ部材に形成されたおねじと螺合可能なめねじが形成され、
前記大径用アダプタは一方の開放端部における内径と、他方の開放端部における内径とが異なる円筒形状を有し、内径が小さい側の内周部には、前記レンズ装着部の外周部に形成されたおねじと螺合可能なめねじが形成され、内径が大きい側の内周部には、前記大径レンズ部材に形成されたおねじと螺合可能なめねじが形成されることを特徴とする画像処理用カメラ装置。
【請求項４】
前記大径レンズ部材は、固定焦点のレンズ部材であり、
前記大径用アダプタは、前記レンズ装着部の外周部に形成されたおねじと螺合可能なめねじが形成されたナットを含み、
前記大径用アダプタを、前記レンズ装着部に螺着させる場合に、前記ナットによって前記大径用アダプタの螺進を阻止するように構成されることを特徴とする請求項２または３記載の画像処理用カメラ装置。
【発明の詳細な説明】
【技術分野】
【０００１】
本発明は、製造ラインを流れる製品の検査・計測などに利用される画像処理用カメラ装置に関する。
【背景技術】
【０００２】
製造ラインを流れる製品の検査・計測には、画像処理が利用されている。画像処理を行うには、製品を撮像して画像データを出力するためのカメラ装置を使用する。通常、被写体や目的が変わると、それに応じてカメラレンズを変更する必要がある。
【０００３】
画像処理用カメラのレンズには、主に焦点距離が一定のＣマウントレンズ、外径が１７ｍｍの小型レンズ、外径１２ｍｍの小型レンズがある。カメラ本体に取り付けることができるレンズの外径は予め決められているので、カメラ装置購入後に仕様変更などで異なるレンズに変更しようとすると、カメラ装置ごと変更する必要がある。
【０００４】
特許文献１記載のボードカメラ用レンズマウントは、ベースマウントに複数のエクステンションマウントを螺合して積層することで、レンズからＣＣＤまでの距離を変更し、焦点距離が異なる多数のレンズに対応することを可能としている。
【０００５】
【特許文献１】特開平９−２５８０８３号公報
【発明の開示】
【発明が解決しようとする課題】
【０００６】
特許文献１記載のボードカメラ用レンズマウントは、焦点距離が異なる複数のレンズには対応することができるが、外径が異なる複数のレンズには対応することができない。
【０００７】
本発明の目的は、外径が異なる複数のレンズに対応することができる画像処理用カメラ装置を提供することである。
【課題を解決するための手段】
【０００８】
本発明は、装着されたレンズを通って入射する入射光を電気信号に変換して画像データを出力するカメラ機能部と、レンズ部材を装着するためのレンズ装着部とを含むカメラ本体と、
前記レンズ装着部に直接装着することが可能な直装レンズ部材より外径が小さい小径レンズ部材を装着するための小径用アダプタとを備え、
前記レンズ装着部は円筒形状を有し、外周部には、前記直装レンズ部材に形成されためねじと螺合可能なおねじが形成され、内周部には、前記小径用アダプタを螺着させるためのめねじが形成され、
前記小径用アダプタは円筒形状を有し、外周部には、前記レンズ装着部の内周部に形成されためねじと螺合可能なおねじが形成され、内周部には、前記小径レンズ部材に形成されたおねじと螺合可能なめねじが形成されることを特徴とする画像処理用カメラ装置である。
【０００９】
また本発明は、装着されたレンズを通って入射する入射光を電気信号に変換して画像データを出力するカメラ機能部と、レンズ部材を装着するためのレンズ装着部とを含むカメラ本体と、
前記レンズ装着部に直接装着することが可能な直装レンズ部材より外径が大きい大径レンズ部材を装着するための大径用アダプタとを備え、
前記レンズ装着部は円筒形状を有し、外周部には、前記直装レンズ部材に形成されためねじと螺合可能なおねじが形成され、
前記大径用アダプタは一方の開放端部における内径と、他方の開放端部における内径とが異なる円筒形状を有し、内径が小さい側の内周部には、前記レンズ装着部の外周部に形成されたおねじと螺合可能なめねじが形成され、内径が大きい側の内周部には、前記大径レンズ部材に形成されたおねじと螺合可能なめねじが形成されることを特徴とする画像処理用カメラ装置である。
【００１０】
また本発明は、装着されたレンズを通って入射する入射光を電気信号に変換して画像データを出力するカメラ機能部と、レンズ部材を装着するためのレンズ装着部とを含むカメラ本体と、
前記レンズ装着部に直接装着することが可能な直装レンズ部材より外径が小さい小径レンズ部材を装着するための小径用アダプタと、
前記直装レンズ部材より外径が大きい大径レンズ部材を装着するための大径用アダプタとを備え、
前記レンズ装着部は円筒形状を有し、外周部には、前記直装レンズ部材に形成されためねじと螺合可能なおねじが形成され、内周部には、前記小径用アダプタを螺着させるためのめねじが形成され、
前記小径用アダプタは円筒形状を有し、外周部には、前記レンズ装着部の内周部に形成されためねじと螺合可能なおねじが形成され、内周部には、前記小径レンズ部材に形成されたおねじと螺合可能なめねじが形成され、
前記大径用アダプタは一方の開放端部における内径と、他方の開放端部における内径とが異なる円筒形状を有し、内径が小さい側の内周部には、前記レンズ装着部の外周部に形成されたおねじと螺合可能なめねじが形成され、内径が大きい側の内周部には、前記大径レンズ部材に形成されたおねじと螺合可能なめねじが形成されることを特徴とする画像処理用カメラ装置である。
【００１１】
また本発明は、前記大径レンズ部材は、固定焦点のレンズ部材であり、
前記大径用アダプタは、前記レンズ装着部の外周部に形成されたおねじと螺合可能なめねじが形成されたナットを含み、
前記大径用アダプタを、前記レンズ装着部に螺着させる場合に、前記ナットによって前記大径用アダプタの螺進を阻止するように構成されることを特徴とする。
【発明の効果】
【００１２】
本発明によれば、レンズ装着部に装着されたレンズを通って入射する入射光を電気信号に変換して画像データを出力するカメラ本体に、前記レンズ装着部に直接装着することが可能な直装レンズ部材より外径が小さい小径レンズ部材を装着する場合、小径用アダプタを介して装着する。
【００１３】
前記直装レンズ部材を装着する場合は、前記直装レンズ部材に形成されためねじと、前記レンズ装着部の外周部に形成されたおねじとを螺合させて直接装着させる。
【００１４】
前記小径レンズ部材を装着する場合は、前記小径用アダプタの外周部に形成されたおねじと、前記レンズ装着部の内周部に形成されためねじとを螺合させて、前記レンズ装着部に前記小径用アダプタを装着させ、前記小径用アダプタの内周部に形成されためねじと、前記小径レンズ部材に形成されたおねじとを螺合させて、前記レンズ装着部に前記小径用アダプタを介して前記小径レンズ部材を装着させる。
【００１５】
このように、単純な構造のアダプタを用いることにより、直装レンズ部材および小径レンズ部材のように外径が異なる複数のレンズに対応することができる。
【００１６】
また本発明によれば、レンズ装着部に装着されたレンズを通って入射する入射光を電気信号に変換して画像データを出力するカメラ本体に、前記レンズ装着部に直接装着することが可能な直装レンズ部材より外径が大きい小径レンズ部材を装着する場合、大径用アダプタを介して装着する。
【００１７】
前記直装レンズ部材を装着する場合は、前記直装レンズ部材に形成されためねじと、前記レンズ装着部の外周部に形成されたおねじとを螺合させて直接装着させる。
【００１８】
前記大径レンズ部材を装着する場合は、前記大径用アダプタの内径が小さい側の内周部に形成されためねじと、前記レンズ装着部の外周部に形成されたおねじとを螺合させて、前記レンズ装着部に前記大径用アダプタを装着させ、前記大径用アダプタの内径が大きい側の内周部に形成されためねじと、前記大径レンズ部材に形成されたおねじとを螺合させて、前記レンズ装着部に前記大径用アダプタを介して前記大径レンズ部材を装着させる。
【００１９】
このように、単純な構造のアダプタを用いることにより、直装レンズ部材および大径レンズ部材のように外径が異なる複数のレンズに対応することができる。
【００２０】
また本発明によれば、レンズ装着部に装着されたレンズを通って入射する入射光を電気信号に変換して画像データを出力するカメラ本体に、前記レンズ装着部に直接装着することが可能な直装レンズ部材より外径が小さい小径レンズ部材を装着する場合、小径用アダプタを介して装着し、前記直装レンズ部材より外径が大きい小径レンズ部材を装着する場合、大径用アダプタを介して装着する。
【００２１】
前記直装レンズ部材を装着する場合は、前記直装レンズ部材に形成されためねじと、前記レンズ装着部の外周部に形成されたおねじとを螺合させて直接装着させる。
【００２２】
前記小径レンズ部材を装着する場合は、前記小径用アダプタの外周部に形成されたおねじと、前記レンズ装着部の内周部に形成されためねじとを螺合させて、前記レンズ装着部に前記小径用アダプタを装着させ、前記小径用アダプタの内周部に形成されためねじと、前記小径レンズ部材に形成されたおねじとを螺合させて、前記レンズ装着部に前記小径用アダプタを介して前記小径レンズ部材を装着させる。
【００２３】
前記大径レンズ部材を装着する場合は、前記大径用アダプタの内径が小さい側の内周部に形成されためねじと、前記レンズ装着部の外周部に形成されたおねじとを螺合させて、前記レンズ装着部に前記大径用アダプタを装着させ、前記大径用アダプタの内径が大きい側の内周部に形成されためねじと、前記大径レンズ部材に形成されたおねじとを螺合させて、前記レンズ装着部に前記大径用アダプタを介して前記大径レンズ部材を装着させる。
【００２４】
このように、単純な構造のアダプタを用いることにより、直装レンズ部材、小径レンズ部材および大径レンズ部材のように外径が異なる複数のレンズに対応することができる。
【００２５】
また本発明によれば、前記大径レンズ部材は、固定焦点のレンズ部材である場合、前記大径用アダプタは、前記レンズ装着部の外周部に形成されたおねじと螺合可能なめねじが形成されたナットを有する。
【００２６】
これにより、前記大径用アダプタを、前記レンズ装着部に螺着させる場合に、前記ナットによって前記大径用アダプタの螺進を阻止することで、前記大径レンズ部材の焦点距離を調整することが可能となる。
【発明を実施するための最良の形態】
【００２７】
本発明は、レンズ装着部にアダプタを螺着させて、外径が異なる複数のレンズに対応することができることを特徴としている。
【００２８】
以下に示すねじの名称および寸法などは、ＪＩＳ  Ｂ  ０１２３（ねじの表し方）、ＪＩＳ  Ｂ  ０２０５（一般用メートルねじ）などのＪＩＳ規格に準拠している。
【００２９】
図１は、本発明の実施の一形態である画像処理用カメラ装置１の構成を示す概略図である。画像処理用カメラ装置（以下では単に「カメラ装置」と呼ぶ）１は、撮影機能を有するカメラ機能部２０とレンズ装着部２１とを有するカメラ本体２、１２ｍｍレンズ用アダプタ３、および装着部材４０とナット４１とを有するＣマウントレンズ用アダプタ４を含んで構成される。
【００３０】
本発明のカメラ装置１は、このような構成により、たとえば、直装レンズ部材である外径１７ｍｍレンズ、小径レンズ部材である外径１２ｍｍレンズ、大径レンズ部材であるＣマウントレンズと外径が異なる３種類のレンズに対応している。ここで、レンズとは、光学部材であるレンズ、レンズを保持するための筐体、カメラ装置に装着させるためのねじ機構などを含むものとする。
【００３１】
外径１７ｍｍレンズを装着する場合は、カメラ本体２のレンズ装着部２１に直接螺着させる。外径１２ｍｍレンズを装着させる場合は、カメラ本体２のレンズ装着部２１に小径用アダプタである１２ｍｍレンズ用アダプタ３を螺着させ、これを介して螺着させる。Ｃマウントレンズを装着させる場合は、カメラ本体２のレンズ装着部２１に大径用アダプタであるＣマウントレンズ用アダプタ４を螺着させ、これを介して螺着させる。
【００３２】
図２は、カメラ本体２の構成を示す概略図である。図２（ａ）は正面図を示し、図２（ｂ）は側面図を示す。図３は、カメラ本体２に外径１７ｍｍレンズ１０が装着された状態を示す概略図である。なお図２（ｂ）および図３は、構成をわかり易くするために、外径１７ｍｍレンズ１０およびレンズ装着部２１の部分を断面図で示している。カメラ機能部２０は、図示しないが、レンズ装着部２１に装着されたレンズを通って入射する入射光を電気信号に変換して画像データを出力するＣＣＤなどの撮像素子、撮像素子から出力される画像データを、画像処理装置などに出力するための出力インターフェイスなどを備えている。レンズ装着部２１は、レンズから撮像素子までの光路を確保するために円筒形状を有し、その外周部に外径１７ｍｍレンズを螺着させるためのおねじ２２が形成され、その内周部には、１２ｍｍレンズ用アダプタ３を螺着させるためのめねじ２３が形成されている。
【００３３】
図３に示すように、外径１７ｍｍレンズ１０にはめねじ１１が形成されており、このめねじ１１と、レンズ装着部２１のおねじ２２とを螺合させる。めねじ１１およびおねじ２２はいずれもＭ１５．５ねじであり、広く市販されている外径１７ｍｍレンズ１０の標準的なねじである。
【００３４】
図４は、１２ｍｍレンズ用アダプタ３の構成を示す概略図である。図４（ａ）は正面図を示し、図４（ｂ）は側面から見たときの断面図を示す。図５は、カメラ本体２に１２ｍｍレンズ用アダプタ３を介して外径１２ｍｍレンズ１２が装着された状態を示す概略図である。なお、図５は、構成をわかり易くするために、外径１２ｍｍレンズ１２およびレンズ装着部２１の部分を断面図で示している。
【００３５】
１２ｍｍレンズ用アダプタ３は、レンズから撮像素子までの光路を確保するために円筒形状を有し、その外周部にカメラ本体２のレンズ装着部２１に螺着させるためのおねじ３０が形成され、その内周部には、外径１２ｍｍレンズ１２を螺着させるためのめねじ３１が形成されている。
【００３６】
図５に示すように、１２ｍｍレンズ用アダプタ３の外周部に形成されたおねじ３０と、カメラ本体２のレンズ装着部２１の内周部に形成されためねじ２３とを螺合させて、１２ｍｍレンズ用アダプタ３をカメラ本体２のレンズ装着部２１に装着する。外径１２ｍｍレンズ１２にはおねじ１３が形成されており、このおねじ１３と、１２ｍｍレンズ用アダプタ３の内周部に形成されためねじ３１とを螺合させて、外径１２ｍｍレンズ１２を１２ｍｍレンズ用アダプタ３に装着する。おねじ１３およびめねじ３１は、いずれもＭ１０．５ねじであり、広く市販されている外径１２ｍｍレンズ１２装着用の標準的なねじである。
【００３７】
１２ｍｍレンズ用アダプタ３のおねじ３０およびこれに螺合するレンズ装着部２１のめねじ２３の寸法については、１２ｍｍレンズ用アダプタ３の構造上、外径１７ｍｍレンズ１０の標準的なねじ寸法であるＭ１５．５より小さく、外径１２ｍｍレンズ１２の標準的なねじ寸法であるＭ１０．５より大きくする必要がある。後述のＣマウントレンズ１０は、比較的レンズ径が大きいので、レンズ装着部２１のめねじ２３の寸法をあまり小さくすると、レンズ装着部２１の肉厚が厚くなり、すなわちレンズ装着部２１の開口径が小さくなり、Ｃマウントレンズ１０を通過した入射光の光路を十分確保することができなくなってしまう。光路が十分に確保できないと、撮影した画像の端部が欠けてしまうことになり望ましくない。したがって、撮影した画像の端部が欠けない程度にレンズ装着部２１の開口径を大きくしようとすると、１２ｍｍレンズ用アダプタ３のおねじ３０およびこれに螺合するレンズ装着部２１のめねじ２３の寸法については、Ｍ１３以上Ｍ１５．５未満の範囲が好ましい寸法範囲となる。ここで、レンズ装着部２１と１２ｍｍレンズ用アダプタ３の機械的強度を考慮すると、レンズ装着部２１の肉厚および１２ｍｍレンズ用アダプタ３の肉厚を確保するために、１２ｍｍレンズ用アダプタ３のおねじ３０およびこれに螺合するレンズ装着部２１のめねじ２３の寸法については、Ｍ１３が特に好ましい寸法となる。
【００３８】
図６は、Ｃマウントレンズ用アダプタ４の装着部材４０の構成を示す概略図である。図６（ａ）は正面図を示し、図６（ｂ）は側面から見たときの断面図を示す。図７は、Ｃマウントレンズ用アダプタ４のナット４１の構成を示す概略図である。図７（ａ）は正面図を示し、図７（ｂ）は側面から見たときの断面図を示す。また、図８は、カメラ本体２にＣマウントレンズ用アダプタ４を介してＣマウントレンズ１４が装着された状態を示す概略図である。
【００３９】
装着部材４０は、レンズから撮像素子までの光路を確保するために円筒形状を有し、一方の開放端部における厚みと、他方の開放端部における厚みとが異なっており、内径が異なる２つの円筒を、中心軸が一致するように重ね合わせたような形状となっている。内径が小さい軸線方向一方側の内周部には、カメラ本体２のレンズ装着部２１のおねじ２２に螺合させるためのめねじ４２が形成され、内径が大きい軸線方向他方側の内周部には、Ｃマウントレンズ１４を螺着させるためのめねじ４３が形成されている。ナット４１には、レンズ装着部２１に螺合させるためのめねじ４４が形成されている。装着部材４０の小径側のめねじ４２およびナット４１のめねじ４４は、いずれもＭ１５．５ねじであり、外径１７ｍｍレンズ１０装着用の標準的なねじである。
【００４０】
Ｃマウントレンズは固定焦点レンズであるので、ナット４１によって焦点距離を調整する必要がある。ナット４１のめねじ４４と、レンズ装着部２１の外周部に形成されたおねじ２２とを螺合させて仮装着しておき、装着部材４０の小径側の内周部に形成されためねじ４２と、レンズ装着部２１の外周部に形成されたおねじ２２とを螺合させ、装着部材４０の大径側の内周部に形成されためねじ４３と、Ｃマウントレンズ１４の外周部に形成されたおねじ１５とを螺合させる。Ｃマウントレンズ１４の焦点位置を合わせた後、ナット４１によって固定締め付けを行い、Ｃマウントレンズ１４が装着された装着部材４０の螺進を阻止することで焦点距離を調整することができる。
【００４１】
Ｃマウントレンズ１４に形成されたおねじ１５および装着部材４０の大径側に形成されためねじ４３は、いずれもＪＩＳ  Ｂ  ７１２７準拠のＵ１ねじである。
【００４２】
以上のように、単純な構造のアダプタを用いることにより、外径１７ｍｍレンズ、外径１２ｍｍレンズ、Ｃマウントレンズとそれぞれ外径が異なる複数のレンズに対応することを可能とした。
【００４３】
上記では、画像処理用カメラ装置１として、カメラ本体２、１２ｍｍレンズ用アダプタ３、および装着部材４０とナット４１とを有するＣマウントレンズ用アダプタ４を含む構成について説明したが、これに限らず、カメラ本体２と１２ｍｍレンズ用アダプタ３とを含み、Ｃマウントレンズ用アダプタ４を含まない構成であってもよいし、カメラ本体２とＣマウントレンズ用アダプタ４とを含み、１２ｍｍレンズ用アダプタ３を含まない構成であってもよい。カメラ本体２とＣマウントレンズ用アダプタ４とを含み、１２ｍｍレンズ用アダプタ３を含まない構成の場合は、レンズ装着部２１の内周部にめねじを形成する必要はない。
【図面の簡単な説明】
【００４４】
【図１】本発明の実施の一形態である画像処理用カメラ装置１の構成を示す概略図である。
【図２】カメラ本体２の構成を示す概略図である。
【図３】カメラ本体２に外径１７ｍｍレンズ１０が装着された状態を示す概略図である。
【図４】１２ｍｍレンズ用アダプタ３の構成を示す概略図である。
【図５】カメラ本体２に１２ｍｍレンズ用アダプタ３を介して外径１２ｍｍレンズ１２が装着された状態を示す概略図である。
【図６】Ｃマウントレンズ用アダプタ４の装着部材４０の構成を示す概略図である。
【図７】Ｃマウントレンズ用アダプタ４のナット４１の構成を示す概略図である。
【図８】カメラ本体２にＣマウントレンズ用アダプタ４を介してＣマウントレンズ１４が装着された状態を示す概略図である。
【符号の説明】
【００４５】
１  画像処理用カメラ装置
２  カメラ本体
３  １２ｍｍレンズ用アダプタ
４  Ｃマウントレンズ用アダプタ
１０  外径１７ｍｍレンズ
１１  外径１７ｍｍレンズ１０に形成されためねじ
１２  １２ｍｍレンズ
１３  １２ｍｍレンズ１２に形成されたおねじ
１４  Ｃマウントレンズ
１５  Ｃマウントレンズ１４に形成されたおねじ
２０  カメラ機能部
２１  レンズ装着部
２２  レンズ装着部２１に形成されたおねじ
２３  レンズ装着部２１に形成されためねじ
３０  １２ｍｍレンズ用アダプタ３に形成されたおねじ
３１  １２ｍｍレンズ用アダプタ３に形成されためねじ
４０  装着部材
４１  ナット
４２  装着部材４０に形成された小径側のめねじ
４３  装着部材４０に形成された大径側のめねじ
４４  ナット４１に形成されためねじ
【図１】
2006276420.tif 000003
【図２】
2006276420.tif 000004
【図３】
2006276420.tif 000005
【図４】
2006276420.tif 000006
【図５】
2006276420.tif 000007
【図６】
2006276420.tif 000008
【図７】
2006276420.tif 000009
【図８】
2006276420.tif 000010